(57)【特許請求の範囲】
【請求項１】
ＬＥＤ素子を有する光源と、該光源を覆う照明用フィルタカバーとを備え、前記照明用フィルタカバーは、耐熱ガラス素材によって形成されていると共に、前記光源から出射される波長４７０ｎｍ以下の青色発光成分を減ずるための青色波長光カットコーティングが施された球面レンズもしくは非球面レンズを形成して成ることを特徴とする照明装置。
【請求項２】
光源から出射される光を球面レンズもしくは非球面レンズの凹面側に向けて反射させるよう当該光源の周囲に付設された反射板を含む請求項１記載の照明装置。
【請求項３】
光源は複数のＬＥＤ素子を配設して成るＬＥＤ基板によって構成され、前記照明用フィルタカバーは、前記ＬＥＤ基板の各ＬＥＤ素子に対応すべく、それぞれに青色波長光カットコーティングが施された耐熱ガラス素材による球面レンズ群もしくは非球面レンズ群を配設して成る請求項１記載の照明装置。
【請求項４】
ＬＥＤ基板の周囲には、各ＬＥＤ素子から出射される光を前記照明用フィルタカバーの球面レンズ群もしくは非球面レンズ群の各凹面側に向けて反射させる反射板を付設して成る請求項３記載の照明装置。
【発明の詳細な説明】
【技術分野】
【０００１】
本発明は、発光ダイオード（以下、ＬＥＤと略称する）等の光源から発する青色波長光をカットする機能を有する照明用フィルタカバーを備えた照明装置に関する。
【背景技術】
【０００２】
従来、消費電力が少なく、長寿命であるＬＥＤ素子を使用した照明装置が多数提案されている。このＬＥＤ素子による照明装置においては、人の目に障害を与える最大の波長が約４８０ｎｍ以下の光線であることが研究によって知られている。
青色波長光の人体への影響は、（１）体内時計への影響と、（２）「光害」の２つが挙げられる。（１）に関して、人は生命を維持するため、一日を朝起きて、食事をして、仕事を行い、夜寝るというサイクルを誕生から寿命まで繰り返すという一日のリズムの体内時計としてきた。しかし現在スマートフォンやＰＣ端末の時間に関係ない使用、更に白色ＬＥＤ下での生活がこの体内時計をくるわせている。その結果睡眠障害、うつ病、高血圧、糖尿病、肥満の原因になるという研究が多く報告されている。（２）に関しては、青色波長光は散乱しやすい光であるので像のぼやけが生じ、目の調節機能に負荷がかかり、目の疲れをおこす。また青色波長光は人の目の網膜に達するため網膜障害をおこし、黄班変性の原因となるといわれている。
【０００３】
また、ＬＥＤ素子自体はその光の指向性が高く、高輝度、低立体角の光源であり、照明装置を構成する際には特に不快感や物の見えづらさを生じさせるような「まぶしさ」である所謂不快グレア（眩輝）への対策が要求される。近年においては、国や地域によっては、道路交通や照明設計に関して、グレア防止のための法規が整備されている。このことからＬＥＤ素子を使った照明装置ではグレア防止機能を有していることが必須である。
【０００４】
例えば、特許文献１に開示されているように、グレア防止機能を有する照明装置として、ＬＥＤ素子を有する白色光源と、光調整部とを備え、該光調整部は、前記白色光源から出射される光のうちで人が感じる明るさへの影響の薄い少なくとも４７０ｎｍ以下の波長の光を平均７５％（平均透過率が７５％）まで減ずる減光部としての例えば光透過率の高いガラスやアクリルなどにＩＴＯ（酸化インジウムスズ）を塗布したバンドパスフィルタと、４８０〜４８５ｎｍの範囲に発光ピークを有する光付加部としてのＬＥＤ素子とを備えているものが存在する。
【０００５】
また、例えば特許文献２に開示されているように、上記した青色波長光をカットする機能を有する照明装置としては、ガラスまたはプラスチック製の円筒状の支持ケース内に、例えばＬＥＤライトバーまたは蛍光管等の光源を封入し、前記支持ケースの出光面の上には、一部の４８０ｎｍ以下の波長の光線をカットし且つカットしたエネルギーを光触媒の方法で抗菌消臭効果に変換する青色波長光カット抗菌消臭層をコーティングして成るものが存在する。
【先行技術文献】
【特許文献】
【０００６】
【特許文献１】特開２０１４−０１７１４４号公報
【特許文献２】実用新案登録第３１８９８５０号公報
【発明の概要】
【発明が解決しようとする課題】
【０００７】
しかしながら、上記したＬＥＤ素子の表面温度は約９０℃以上に達するため、特許文献１における光透過率の高いガラスやアクリルなどにＩＴＯ（酸化インジウムスズ）を塗布したバンドパスフィルタ、及び、特許文献２におけるガラスまたはプラスチック製の円筒状の支持ケースに対し、上記ＬＥＤ素子からの熱衝撃による損傷を無視することはできないものであった。
【０００８】
特に、近年では、照明用フィルタカバーとしてプラスチックレンズを採用している。この照明用フィルタカバーは、低コストで且つ割れ難く、さらに金型によって成形が容易で、非球面レンズが大量に生産できる。しかし、上記プラスチックレンズに青色波長光カットのためにコーティングを施した場合、環境温度６０℃を境に、熱クラック（プラスチックが変形）が発生し、コーティングが剥がれて劣化してしまう欠点を有している。因みに、一般的なガラスである場合では、例えば加熱式真空蒸着法等によるコーティング処理の際に発生する熱衝撃でガラスは割損してしまう。しかも上記したように照明装置の使用時においては、ＬＥＤ素子の表面温度は９０℃以上に達することから、ＬＥＤ素子からの青色波長光をカットするためのレンズとしては難点があった。
【０００９】
そこで、本発明は叙上のような従来存した諸事情に鑑み創出されたもので、環境温度による熱クラックの発生およびこれに伴うコーティングの剥離、劣化を防止でき、さらに青色波長光カットのためのコーティング処理の際に発生する熱衝撃にも耐えることのできる照明用フィルタカバーを備えた照明装置を提供することを目的とする。
【課題を解決するための手段】
【００１０】
上述した課題を解決するために、本発明にあっては、ＬＥＤ素子を有する光源と、該光源を覆う照明用フィルタカバーとを備え、前記照明用フィルタカバーは、耐熱ガラス素材によって形成されていると共に、前記光源から出射される波長４７０ｎｍ以下の青色発光成分を減ずるための青色波長光カットコーティングが施された球面レンズもしくは非球面レンズを形成して成ることを特徴とする。
【００１１】
光源から出射される光を球面レンズもしくは非球面レンズの凹面側に向けて反射させるよう当該光源の周囲に付設された反射板を含むものとする。
【００１２】
光源は複数のＬＥＤ素子を配設して成るＬＥＤ基板によって構成され、前記照明用フィルタカバーは、前記ＬＥＤ基板の各ＬＥＤ素子に対応すべく、それぞれに青色波長光カットコーティングが施された耐熱ガラス素材による球面レンズ群もしくは非球面レンズ群を配設して成るものとする。
【００１３】
ＬＥＤ基板の周囲には、各ＬＥＤ素子から出射される光を前記照明用フィルタカバーの球面レンズ群もしくは非球面レンズ群の各凹面側に向けて反射させる反射板を付設して成るものとする。
【発明の効果】
【００１４】
本発明によれば、環境温度による熱クラックの発生およびこれに伴うコーティングの剥離、劣化を防止でき、さらに青色波長光カットのためのコーティング処理の際に発生する熱衝撃にも耐えることのできる照明用フィルタカバーを備えた照明装置を提供することができる。
【００１５】
すなわち、本発明にあっては、ＬＥＤ素子を有する光源と、該光源を覆う照明用フィルタカバーとを備え、前記照明用フィルタカバーは、耐熱ガラス素材によって形成されているので、該耐熱ガラス素材は、ガラス転移温度５００〜５５０℃、熱衝撃１６０〜１８０℃を有していることから、ＬＥＤ素子による照明装置として使用する場合、照明用フィルタカバー自体に熱クラックが発生しないため、青色波長光カット用のコーティングの劣化を未然に防ぐことができる。
【００１６】
照明用フィルタカバーは、前記光源から出射される波長４７０ｎｍ以下の青色発光成分を減ずるための青色波長光カットコーティングが施された球面レンズもしくは非球面レンズを形成して成るので、レンズによる集光性を有効に使うことで、照らすための局所部位だけを効率良く明るくすることができ、その分、消費電力を減らすことができる。すなわち、本発明では、特に、球面レンズもしくは非球面レンズに青色波長光カットコーティングが施されているため、光源の最大ピーク域（波長４５２ｎｍ）における相対放射強度を少なくとも３４％〜最大５０％をカットすることが可能としつつ、青色波長光カットとレンズ機能との併用により、当該青色波長光カットで減少した光量をレンズの集光により補うことができる。
【００１７】
例えば、眼鏡などに施されている青色波長光カット用のコーティングは、波長４７０ｎｍ以下の青色光だけでなく、波長の長い他の黄や赤色光も一緒に減光してしまい、しかもカット率が高いものほど、眼に届く光量が少なくなり、ＬＥＤ素子による照明装置の場合は、暗い光となってしまうので、本末転倒ということになる。また、球面レンズもしくは非球面レンズを形成して成る照明用フィルタカバーを使っていない従来の照明装置では、光が広がり（机ではなく、壁なども照らしている）、机上を有効に照らしていないことになり、机上を明るく照らすため、消費電力を上げて照度を確保しなければならない。これに対し本発明では、レンズを使うことで、照らす場所だけを効率良く明るくすることができ、その分、消費電力を減らすことができ、さらにそこに、青色波長光カットコーティングを施せば、青色光をカットした分の光量の減少分を浮いた消費電力で補えば良いこととなる。
【００１８】
また、球面レンズもしくは非球面レンズにコーティングをしないと光の方向性の問題が生じてしまう。例えば、レンズではなく、コーティングをした平面ガラスをＬＥＤ素子に被せると、ＬＥＤ素子の直下だけが黄色が強い光となり、斜め方向は白色光となる。これに対し、本発明のように球面レンズもしくは非球面レンズにすることで、全ての照射方向がほんのり黄色光（黄色光の分散）となり、光の色ムラがなくなる。また、実際の製品には、さらにグレア防止用のカバー（例えば擦りガラス等）を併用することで、黄色光の軽減を行うことができる。
【００１９】
光源から出射される光を照明用フィルタカバーの球面レンズもしくは非球面レンズの凹面側に向けて反射させるよう当該光源の周囲に付設された反射板を含むので、ＬＥＤ素子から照射される光を効率良く反射して照明用フィルタカバーの球面レンズもしくは非球面レンズを通して外部周辺に照射することができる。この他、レンズから漏れた光を反射板で拾い、外部周辺に照射する光量の全体量を補うという使用方法も可能である。
【００２０】
光源は複数のＬＥＤ素子を配設して成るＬＥＤ基板によって構成され、前記照明用フィルタカバーは、前記ＬＥＤ基板の各ＬＥＤ素子に対応すべく、それぞれに青色波長光カットコーティングが施された耐熱ガラス素材による球面レンズ群もしくは非球面レンズ群を配設して成るので、環境温度による熱クラックの発生およびこれに伴うコーティングの剥離、劣化を防止しつつ複数のＬＥＤ素子を覆うことのできる照明用フィルタカバーを使った照明システムを容易に構築することができる。
【００２１】
ＬＥＤ基板の周囲には、各ＬＥＤ素子から出射される光を前記照明用フィルタカバーの球面レンズ群もしくは非球面レンズ群の各凹面側に向けて反射させる反射板を付設して成るので、例えば、天井埋め込み式による照明装置において、ＬＥＤ基板の複数のＬＥＤ素子による光を全て効率良く反射して照明用フィルタカバーの球面レンズもしくは非球面レンズを通して外部周辺（天井下方の周辺）に照射することができる。この他、レンズから漏れた光を反射板で拾い、外部周辺（天井下方の周辺）に照射する光量の全体量を補うという使用方法も可能である。
【図面の簡単な説明】
【００２２】
【図１】本発明を実施するための一形態における照明装置の概要を示す分解斜視図である。
【図２】同じく照明装置の照明用フィルタカバーの概要を示す平面図である。
【図３】図２のＸ−Ｘ断面図である。
【図４】青色波長光カットＬＥＤ照明と従来のＬＥＤ照明との波長スペクトルの比較を説明するためのグラフ図である。
【図５】照度と消費電力の関係を表に示す図である。
【図６】色覚異常を検出する検査用具を使用しての検査結果を表に示す図である。
【図７】色の誤認のパターンを表す図である。
【図８】太陽光下での色弁別の評価結果を表に示す図である。
【図９】治験前の照明の種類に関する調査結果を表に示す図である。
【発明を実施するための形態】
【００２３】
以下、図面を参照して本発明の実施の一形態を詳細に説明する。
［照明装置の全体構成］
本発明に係る照明装置は、図１乃至図３に示すように、複数のＬＥＤ素子２を配設して成るＬＥＤ基板１によって構成された光源３と、該光源（ＬＥＤ基板１+ＬＥＤ素子２）３を覆うよう、前記ＬＥＤ基板１の各ＬＥＤ素子２に対応すべく、それぞれに波長４７０ｎｍ以下の青色発光を減ずる青色波長光カットコーティングが施された耐熱ガラス素材による球面もしくは非球面のレンズ５群を配設して成る照明用フィルタカバー４とから概ね構成されている。
【００２４】
［光源の構成］
具体的な光源３の構成としては、図１または図２に示すように、例えばアルミ製またはガラス・エポキシ樹脂製等の長方形板状のＬＥＤ基板１の上に例えば合計１４個のＬＥＤ素子（ＬＥＤチップ）２が７個ずつ２列となし且つ両列のＬＥＤ素子２同士が互いに千鳥状となして実装されており、電圧変動（逆電圧）による影響を少なくするために不図示の電流制限抵抗や定電流素子（定電流ダイオードまたは逆接ダイオードや定電流ＩＣなど）がＬＥＤ素子２に直列に挿入されている。
【００２５】
［照明用フィルタカバーの構成］
照明用フィルタカバー４は、図１または図２に示すように、耐熱性のホウケイ（硼珪）酸ガラス（別名ボロシリケイトガラス）の素材によって長方形板状に成形されており、その幅方向両端側には表面側から裏面側に向けての下り段差を介してフランジ部７が各形成されている。これにより、照明用フィルタカバー４の裏面側には、長手方向中央に沿って、上記ＬＥＤ基板１を収容するための凹部６が形成される。また、この凹部６の中央には、上記したＬＥＤ基板１上の各ＬＥＤ素子２に対応すべく球面レンズもしくは非球面レンズ等の合計１４個のレンズ５が７個ずつ２列となし且つ両列のレンズ５同士が交互に千鳥状となして形成されている。なお、非球面レンズとは、例えば円筒面、トーリック面、対称非球面、非対称非球面等である。
【００２６】
ホウケイ酸ガラスとは、ホウ酸を混ぜて熔融し、軟化する温度や硬度を高めたガラスであり、熱膨張率が通常のガラスと比べて３分の１程度と低く、そのため一般のガラスに比べて温度差に起因する熱応力が減少して熱衝撃に強くなり、また耐熱性・耐薬品性に優れているものである。アメリカのコーニング社の商標からパイレックスと呼ばれている。また、耐熱ガラスを構成するホウ素の原子量が小さいため、通常のガラスより密度が低い。また、光学的には色分散が小さく（アッベ数６５程度）屈折率が低い（可視領域で１．５１〜１．５４）クラウンガラスである。 
【００２７】
また、図３に示すように、上記したレンズ５の表面には、前記ＬＥＤ素子２から出射される波長４７０ｎｍ以下で少なくとも波長略４５０ｎｍの青色発光成分を減ずるための青色波長光カットコーティング層８が施されている。なお、この青色波長光カットコーティング処理は、レンズ５の裏面に施されていても良く、さらにはレンズ５群を含む照明用フィルタカバー４全体に施されていても良い。
【００２８】
前記ＬＥＤ素子２から出射される光を上記照明用フィルタカバー４の凹部６内側におけるレンズ５の凹面側に向けて反射させるよう前記ＬＥＤ基板１もしくは各ＬＥＤ素子２の周囲または凹部６の周囲には反射板（図示省略）が付設されている。この反射板は例えばアルミ製等で、その表面に高純度のチタン及びシリコンをコーティングし反射率が９０％以上とされた鏡面板であり、ＬＥＤ素子２から照射される光を効率良く反射して上記したレンズ５を通して外部に照射する。
【００２９】
なお、上記した実施形態において、ＬＥＤ基板１へのＬＥＤ素子２の配列形態や回路構成、ＬＥＤ基板１の材質、照明用フィルタカバー４のレンズ５の配列等々は、本発明を限定するものではなく、他の様々な変形例も可能である。
【００３０】
次に、本発明に係る照明装置の使用時における色識別機能について説明する。
【００３１】
［ＡＢＣ−ＬＥＤ（青色波長光カット）照明の治験結果］
青色波長光カット照明（以下、ＡＢＣ−ＬＥＤ）と従来のＬＥＤ照明（以下、ＮＢＣ−ＬＥＤ）において、主として色弁別機能についで治験を行い、視科学的改良点及び市場性を検証する。
【００３２】
対象光源の波長スペクトル（横軸：波長（ｎｍ）、横軸：相対放射強度）を図４に示す。ＡＢＣ−ＬＥＤの場合、最大ピーク域の波長４５２ｎｍ（図４中、矢印２の実線カーブで示す）においてカット率は３４％〜最大５０％であった。また、ＮＢＣ−ＬＥＤの場合、波長４４０ｎｍ（図４中、矢印１の点線カーブで示す）ではカット率は４２％であった。なお、波長３８０〜５００ｎｍは青色波長光波長域を示す。実験は実用性のあるカット率３４％の照明下で行った。
【００３３】
また、対象者２０〜６０歳代の近見視力０．７以上の１２名（男性１１名、女性１名）について、色名表及び色覚の太陽光下での検査（温度２４〜２５℃、湿度６０％）を行った。検査方法として、同じ部屋に、ＮＢＣ−ＬＥＤとＡＢＣ−ＬＥＤの２光源を天井に設置し、どちらか一方の光源のみを点灯させた状態で、色名表及び色覚の検査（パネルＤ−１５）を実施した。この場合、部屋の天井高を２．９５ｍで照明装置は天井に埋め込み配置し、机の高さは４５ｃｍとし、外光は遮断した。図５に示すように、ＮＢＣ−ＬＥＤでは、机上照度が９００［ｌｘ］、消費電力１２０Ｗであり、ＡＢＣ−ＬＥＤでは、上照度が９００［ｌｘ］、消費電力７５Ｗである。すなわちＪＩＳ照度基準（視作業）は昼光の影響がない場合、７５０〜１５００［ｌｘ］、消費電力については、ＡＢＣ−ＬＥＤの場合はレンズを使用しており直下照度が高くなるので、消費電力を下げて、照度の調節を行った。
【００３４】
現在市場にでているＬＥＤは一見白色光に見えるが、眼や体内リズムに影響を与える青色光を含んでいる（図４参照）。青色光は特に眼に障害を与えることから、この青色光をカットしたＬＥＤが求められているが、青色光をカットしたＬＥＤとしては市場になく、メガネを着用してわずか１０％程度のカットが可能である。そこで、青色光をカットした独自のＬＥＤ照明の開発を行い、人の眼に安全なＬＥＤ照明装置の作成に取り組んだ。その結果、球面ガラスに青色光をカットするコーティングを行うことで３４％〜最大５０％をカットするＬＥＤ照明装置が作成できた。
【００３５】
但し、青色光をカットすると照明光が黄色味をおびる。しかし、この光は太陽光に近い黄色味なので、ＡＢＣ−ＬＥＤで色の誤認がおこらず、自然光に近いことをポイントにするべく、色弁別のテストを行った。なお、青色波長光カットＬＥＤの商品名をＡＢＣ−ＬＥＤ（ＡはＡクラスの、ＢはＢｌｕｅＬｉｇｈｔ青色波長光、ＣはＣｕｔカット）としている。従来のものは青色波長光をカットしていないので、Ｎｏｎ  ＢｌｕｅＬｉｇｈｔ  Ｃｕｔ（ＮＢＣ−ＬＥＤ）とした。
【００３６】
また、シトリンという黄色味をおびた宝石が太陽を象徴する石と呼ばれ、その石の持つ意味や縁起など、富と繁栄をもたらす健康と安眠をヒントにシトリンＬＥＤというネーミングを検討した。照明光の色温度の表現に「シトリンホワイト」というような独自の表現方法などを織り交ぜるなど市場に一石を投じるものとした（なお、ＡＢＣ−ＬＥＤ及びシトリンＬＥＤはともに商標登録済みである）。
【００３７】
［パネルＤ−１５の結果］
図６及び図７に示すように、色覚正常者１１名中、２名がＮＢＣ−ＬＥＤにおいて色の誤認が生じた。ＡＢＣ−ＬＥＤでは全例色の誤認はみられなかった。なお、第一色覚異常が見られた被検者Ａは除外した。また、２種のＬＥＤで実際の色の見え方が異なるかどうか色名表で検査をした。色名表は全ての色を明度・彩度等を基準に細かく見本帖にしている色の選択に用いる基本的な色見本帖である。実際のもの（今回、緑はピーマン、赤・黄はパプリカ）の色の見え方を２種のＬＥＤ照明下で色名表から選んでもらった。同一の色がない場合は、近いものを選択してもらった。結果はＡＢＣ−ＬＥＤとＮＢＣ−ＬＥＤではほとんど差がみられなかった。つまり、実物をみても、ＡＢＣ−ＬＥＤ照明下で色の見え方に差がないことが認められた。
【００３８】
［色名表（ＤＩＣ社製：ＤＩＣ  ＣＯＬＯＲ  ＧＵＩＤＥ  Ｖｅｒ．１９）による色弁別の結果］
青色波長光をカットすることで、実物の色の見え方に影響がないかを実証する目的で対象者全員に赤色、緑色、黄色のピーマンを見せ、色名表から似ている色の番号を選んでもらった。似ているレベルを３段階（１：やや近い、２：ほとんど近い、３：―致）で評価してもらった。なお、黄色については対象者Ａ〜Ｄに黄色ペンを対象者Ｅ〜Ｌに黄色のパプリカで上記を行った。その結果、各色による色弁別能において、赤色：同―色を選んだ対象者がＡＢＣ−ＬＥＤで５名、ＮＢＣ−ＬＥＤで６名。緑色：同―色を選んだ対象者がＡＢＣ−ＬＥＤで６名、ＮＢＣ−ＬＥＤで６名。黄色：同―色を選んだ対象者がＡＢＣ−ＬＥＤで２名、ＮＢＣ−ＬＥＤで２名。赤色のみ同一色を選んだ対象者が１名多くみられた。この結果からは両者のＬＥＤに特に差はみられなかった。
【００３９】
[太陽光下での色の弁別] 
太陽光下において、下記２名の色の弁別を治験したところ、特徴的な結果（図８に示す）が得られた。緑の弁別（２０代）において、ＮＢＣ−ＬＥＤ照明下では濃い緑を選択したが、ＡＢＣ−ＬＥＤ及び太陽光下では薄い緑を選択している。また、黄の弁別(２０代)において、ＡＢＣ−ＬＥＤと太陽光とで全く同一の色（ＮＯ．１６５）を選択（両者ともレベル３）するという結果が得られた。しかし、今回は次回の治験に向けての予備実験で、対象者も２名なのでこの結果は結論ではない。
【００４０】
パネルＤ−１５は眼科領域では色覚異常を検出する国際的基準用具である。ＡＢＣ−ＬＥＤが一見黄色味をおびた照明に感じられるので、色の誤認がないか、国際的に使われている検査機器で検査した。今回の結果では、ＮＢＣ−ＬＥＤの方が色の誤認が１１名中２名に検出され、開発したＡＢＣ−ＬＥＤは全員色の誤認はなく、予想以上の良い結果が得られた。
【００４１】
［アンケート調査の結果］
治験前に、近見視力、眼に関する自覚症状、自宅で使用している照明の種類をヒアリングした（図９参照）。
【００４２】
［ＡＢＣ−ＬＥＤとＮＢＣ−ＬＥＤの印象］
（全体的な印象）治験中に本やＰＣ画面を見てもらい、受ける印象をヒアリングした。１２名中１１名が、ＡＢＣ−ＬＥＤ照明の方が暗いと感じた。他１名（２０代）は、ちょうどよい明るさと感じ、ＮＢＣ−ＬＥＤが明るすぎるとの印象であった。１２名中１１名が、ＡＢＣ−ＬＥＤ照明の方が落ち着く、やわらかいなどの印象を受けたと回答した。他１名（３０代）がＮＢＣ−ＬＥＤの方が落ち着くと回答した。ＰＣ画面を見せた８名中６名が大差なし。他２名（１０代と２０代）が背景色が白色の部分のアイコンがＡＢＣ−ＬＥＤの方が見えやすくなったと回答した。本を見せた８名中３名（１０代２名、２０代１名）が、ＡＢＣ−ＬＥＤの方の文字が見やすい。この３名中１名（２０代）がＮＢＣ−ＬＥＤの方で眩しさを感じるとのことだった。また、ＮＢＣ−ＬＥＤの文字の方が見えやすいと回答者（３０代）がＡＢＣ−ＬＥＤの照明の方で、文字を読むときにチカチカするとのことであった。以上はＡＢＣ−ＬＥＤの優位性を実証するための予備実験であり症例数と精度を検討し本治験として追加する。
【００４３】
［まとめ］
本実施形態における青色波長光カットのＡＢＣ−ＬＥＤ照明は一般的な青色波長光カットのないＮＢＣ−ＬＥＤ照明より黄味を帯びた照明光であるため、色の視認や照明光として好まれないのではないかと危惧された。このことから、今回、特に色弁別能について視機能的評価をパネルＤ−１５で実際の色弁別能を色名表で行った。パネルＤ−１５治験結果から、ＡＢＣ−ＬＥＤ照明下ではエラーが発生せず、ＮＢＣ−ＬＥＤ照明と比較すると、色の弁別に支障をきたす虞が少ない傾向にあると考えられる。また、色名表の治験結果から、ＮＢＣ−ＬＥＤにおいて濃い色（緑、黄）を選び、ＡＢＣ−ＬＥＤでは薄い色を選ぶという傾向性が３０〜４０代で顕著にみられた。太陽光下での色弁別の治験において、ＡＢＣ−ＬＥＤの照明が太陽光に近いということが示唆された。日常生活でＡＢＣ−ＬＥＤが従来のＬＥＤに比べて黄色味がかった照明光なので、好んで使用できるかどうかも危惧されたが、ＮＢＣ−ＬＥＤに比べてやや暗いと感じる一方、ＡＢＣ−ＬＥＤは１２名中の１名以外（１１名）がやわらかい光、落ち着くとの回答を得たことから、家庭での使用が好まれ、市場性があると考えられる。なお、暗いとの印象は照度を上げることで解決可能である。
【符号の説明】
【００４４】
１…ＬＥＤ基板
２…ＬＥＤ素子
３…光源
４…照明用フィルタカバー
５…レンズ（球面レンズもしくは非球面レンズ）
６…凹部
７…フランジ部
８…青色波長光カットコーティング層
【図１】
0006454505.tif 000002
【図２】
0006454505.tif 000003
【図３】
0006454505.tif 000004
【図４】
0006454505.tif 000005
【図５】
0006454505.tif 000006
【図６】
0006454505.tif 000007
【図７】
0006454505.tif 000008
【図８】
0006454505.tif 000009
【図９】
0006454505.tif 000010